(57)【特許請求の範囲】
【請求項１】
可撓性材料のウエストベルト（１）であって、前記ベルトに確実に取り付けられ且つ前記ベルトの一端の近くに配置されて前記一端をその縦方向縁（3,4）の間に位置するベルトの外面に取り付けるための取り付け手段（6;9;10;11;21;22）を含み、前記取り付け手段は解放可能型フック素子ストリップであり、前記取り付け手段自体はその最大寸法（ａ）がベルトの幅方向になるように延出するウエストベルトに於て、前記取り付け手段の前記縦方向範囲（ａ）は前記一端が取り付けられる前記ベルトの外面の場所で前記ベルトの幅（ｚ）の25％ないし75％の範囲内にあることを特徴とする吸収性衣料取り付け用ウエストベルト。
【請求項２】
前記ベルト（１）は吸収性衣料と一体化され、しかして前記ベルトは前記吸収性衣料の側部から外方向に延出する二つのベルト端（16,17）を呈し、ベルト端の一つ（16）は前記フック素子ストリップ（６）を有することを特徴とする請求の範囲第１項記載のウエストベルト。
【請求項３】
前記ベルトはその幅（ｚ）が70ないし160mmの範囲内であることを特徴とする請求の範囲第１項又は第２項記載のウエストベルト。
【請求項４】
前記取り付け手段（10）は、ベルトの幅を横切ってその縦方向に一連の二つ又はそれ以上の個別ストリップに分割され、前記一連のストリップの前記縦方向範囲（ａ）はベルト（１）の縁（3,4）に最も近接するストリップの外縁により画成されることを特徴とする請求の範囲第１項乃至第３項の何れか一項記載のウエストベルト。
【請求項５】
取り付け手段が配置されるベルトの端部分（13）の幅は、ベルトの幅（ｚ）の40％ないし80％の間、好ましくは60％であることを特徴とする請求の範囲第１項乃至第４項の何れか一項記載のウエストベルト。
【請求項６】
ストリップの前記縦方向範囲（ａ）はベルトの幅（ｚ）の60％以下、好ましくは50％以下であることを特徴とする請求の範囲第１項乃至第５項の何れか一項記載のウエストベルト。
【請求項７】
ベルトの幅方向に於ける取り付け手段（6;9;10;11;21;22）の縦方向範囲（ａ）はベルトの縦方向に於ける前記取り付け手段の側方範囲（ｃ）の２倍以上、好ましくは３倍以上であることを特徴とする請求の範囲第１項乃至第６項の何れか一項記載のウエストベルト。
【請求項８】
取り付け手段が解放可能に取り付けられるベルトの外面（５）は不織材料から成り、ベルトの内面の材料の少なくとも一部は吸湿剤であることを特徴とする請求の範囲第１項乃至第７項の何れか一項記載のウエストベルト。
【請求項９】
ベルトの面（5,12）は両方とも不織材料から成ることを特徴とする請求の範囲第１項乃至第８項の何れか一項記載のウエストベルト。
【請求項１０】
取り付け手段（6;9;10;11;21;22）は前記不織材料へ取り付ける時に、その剥離強度は0.1−2.0Ncm-1の間、好ましくは0.2ないし0.8Ncm-1であり、且つその剪断強度は15Ncm-2よりも大きいことが好ましいが、1Ncm-2よりも大きいことを特徴とする請求の範囲第８項記載のウエストベルト。
【請求項１１】
ベルトはその長さの大部分に沿って実質的に平行な側縁（3,4）を有し、フック素子ストリップ（単数又は複数）はベルトの幅の中央部分にわたり延出することを特徴とする請求の範囲第１項乃至第10項の何れか一項記載のウエストベルト。
【発明の詳細な説明】
発明分野
本発明は吸収性衣料に用いられる型式のベルト、特に、可撓性材料のウエストベルトに関するものであり、前記ベルトにしっかりと取り付けられ且つ前記ベルトの一端の近くに配置されて前記一端をその縦方向縁の間に位置するベルトの外面に取り付けるための取り付け手段を含み、前記取り付け手段は解放可能型フック素子ストリップであり、前記取り付け手段自体はベルトの幅方向が最大寸法になるように延出する。
発明の背景
当該型式のベルトは、特に失禁患者用の体液を収集するのを助けるために着用される吸収性衣料と一体化することができ、あるいは、ベルトは個別のベルトにすることができ、このベルトに吸収性衣料部分が解放可能取り付け手段、例えば“VELCRO"の名で販売されるフック・アンド・ループ（タッチ・アンド・クローズとも呼ばれる）型取り付け手段により取り付けられる。
個別型のベルトは、使用が限定されて少数の吸収性シャーシー衣料に用いられ且つ特定の洗浄を必要としない使い捨てベルトにでき、あるいは効果又は外観の点で新しいベルトに交換することが必要になる前に何回も洗濯できるより永久的な型式のものにできる。
上記型の吸収性衣料は技術上周知である。
WO−Ａ−91/08725は吸収性衣料に関連してこれら二つの型式の例を開示している。
かかるベルトについて認識された問題の一つは、ベルトを正しく取り付けることにより使用者の最大の快適性を達成することであり、その理由は不正取り付けが使用者に痛み、切傷及び／又は苦痛部域を生じるからである。
快適性の増加が所望されている一つの部域は、ベルト自体への取り付け部域である。例えばWO−Ａ−91/08725を調べてみると、ベルトを取り付けるためにフック素子ストリップとループ素子ストリップを取り付けると、取り付けられるよう意図されている帯域を越えてフックストリップの縁の一方が突出し、結果として体に接触することは明らかである。この体との接触は特に不快なものである。
失禁の問題が含まれる場合、この問題を抱える人はしばしば老齢であり、各種の身体的ハンディキャップを持つことは了解されよう。その結果、ベルト又はベルトと一体化された衣料を取り付ける介護者は必要になる。もし失禁者又は介護者が多大な注意を払ってベルトを取り付けないならば、フック素子ストリップは体に接触した位置のままで放置されやすい。このことは使用者が自立できないか又は不良な取り付けを介護者へ伝達できない場合は特に重大なことである。
ベルト取り付け用に縦方向ストリップを使用することはGB−Ａ−2232337からも知られており、この場合ストリップはベルト部分の長さに沿って縦に配置される。このようにして、ベルト部分の縦方向縁の上または下でフック素子ストリップが体に接触するという危険性が低減される。ベルト部分の縦方向のストリップの寸法は、故に、解放可能ファスナの適当な剪断強度を達成できるようにするために、かなりのものになる。しかしながら、このことは、ストリップが適正に重ならず、その結果、異なる位置ではあるが着用者の体に接触するという不利益を伴う。かかることは例えばベルトが僅かに小さすぎる場合は特に重要である。
ベルトの幅に沿ってフック素子の細長いストリップを配置することは、本来FR−Ａ−2586558から知られており、この場合、ストリップの縁とベルトの外縁との間に小さなマージンが残されている。しかしながら、かかるマージンの大きさはその発明者にとって重要ではなく、しかしてどこにも考慮されていなかった。
発明の要約
上記型の吸収性衣料を着用するときの取り付けと快適性に関する上記問題は請求の範囲第１項によるベルトの特徴により解決される。
ベルトの好適な特徴は従属項に記載される。
“吸収性衣料”なる語を失禁、特に大人の失禁に関連して使用したが、本発明はこの特定の用途又はこれにより暗示される吸収性衣料の特定の寸法又は特定の型式に限定されるものでないことは注目されるべきであり、かかるベルトは単に寸法及び材料を適当に変えるだけで例えば赤ん坊用又は子供用おむつに使用できることは当業者に明かであろう。
【図面の簡単な説明】
本発明はある非限定実施例及び添付図面に関して詳述される。図面に於て、
第１図は本発明による個別ベルトの一実施例を示し、このベルトは明示のために使用者へ取り付けられるときに通常使用されるのと反対の態様でループ状に示されている。
第２図は本発明による個別ベルトの他の実施例を示し、このベルトはどちら側でも使用できるリバーシブル型のベルトである。
第３図は本発明のベルトへ取り付けるようにしたシャーシーの形態の吸収性衣料を示す。
第４図は平たく広げた本発明によるベルトを示す。
第５図は第２図と同様にリバーシブルベルトの平面図を示す。
第６図は本発明のベルトの細長いフック素子ストリップの三つの可能な実施例を第６（Ａ）図、第６（Ｂ）図、第６（Ｃ）図に示す。
第７図は本発明による一体化されたベルトを有する吸収性衣料の実施例を示す。
好適実施例の詳細な説明
第１図は使用者の腰の回りに巻き付けることができるように可撓性材料から作られたベルトを１で一般的に示す。第１図のベルトは明示のために使用者へ取り付けるときに通常使用されるのと反対の態様で仮想中心点の回りに巻かれた状態で示されている。しかしてベルト８の内側がここでは、あたかも外側であるかのように示されている。
ベルトは実質的に長方形であり、距離ｚ（第４図参照）だけ離れた二つの側方に離間した縦縁３と４を含む。一端において、ベルトはここでは狭い幅を有するものとして示された端部分13を有し、この端部分にフック素子を有する可撓性ストリップ６が確実に取り付けられている。このストリップはフック・アンド・ループ型取り付け手段の結合部分の半分を形成する型式のものである。しかして図示の実施例における結合部のループはベルト材料自体により形成される。
ベルト５の外側（第１図には内側として示されている）は一部にはベルトの一端のストリップ６のための、また一部には吸収性材料14を有するシャーシー２の同様のストリップ６′,6″のための解放可能取り付け部域として役立つ（第２図参照）。
ベルト１の外面５には適当な材料ストリップをベルトの外面５上に取り付けることにより形成された部分７があってもよく、これへはフック素子ストリップ６′,6″は取り付けることができない。
シャーシー２を個別ベルト１へ取り付ける態様を簡単に説明する。第１に、ベルトを着用者の腰の回りに通し、フック素子ストリップ６を解放可能取り付け面５へ軽く押圧して取り付ける。次いで、二つのストリップ６′（又はストリップ６″）をベルト面５へ取り付けることによりシャーシー部分を着用者の背中の後ろでベルトの外側へ取り付ける。衣料の自由端は次いで着用者の脚の間に通されベルトの前部にストリップ６″により取り付けられる。
第７図で示す一体化されたベルトを有する衣料を取り付ける態様は、ストリップ６″の取り付けが全く必要ないことを除いては、上記と同じである。
フック素子ストリップ６を適正位置に軽く押圧する際、本発明のベルトがなければ、フック素子ストリップがベルトの縁を越えて突出して着用者へ接触するのを防ぐのに適切な注意を払うことが困難になる。しかしながら、本発明のベルトを使用することにより、この問題は除去される。しかして第１図のストリップ６はベルトの幅を横切る縦方向範囲“a"を有し、“a"は幅“z"の25％から75％の間で、好ましくは60％以下、より好ましくは50％以下の幅である。
本発明の他の実施例は第２図及び第５図に示され、これらの図は各々リバーシブルベルトを示す。対応帯域5,12は、何れか又は両方の側に帯域７を有するか又は有さずに、どちら側も解放可能取り付け部として設けられる。ベルトの一端には可撓性材料から作られた特別な片20が取り付けられ、この片に第１図の素子６と同様の二つのフック素子ストリップ21,22が取り付けられている。ベルトのどちら側が着用されるかに応じて、一側又は他側のフック素子ストリップ21又は22をベルトの取り付けに使用できる。しかして二つのストリップの各々はベルトの幅“z"の25％から75％の間の長さを有する。
かかる片側型のベルト、あるいは吸収性衣料と一体化された型のベルト（第７図参照）の使用が明らかに有利であるのは、少なくともベルトの内面材料の一部が吸湿剤になっている場合である。
織布はフック素子ストリップに対する解放可能取り付け特性を有するため又その洗濯可能性のために、再使用可能な個別ベルトの両側あるいは使い捨てベルト（一体化された又はされない）の外側に通常使用される。
しかしながら、ベルトの外側用により安価な不織材料を、不織材料に取り付け可能なフック素子ストリップと共に使用できる。
特に、ベルトの解放可能取り付け面のために不織材料を用いるとき、特に良好な剥離強度と剪断強度が達成され、剥離強度は0.1−2.0Ncm-1、好ましくは0.2−0.8Ncm-1と言う低さであり、又剪断強度は1Ncm-2よりも大きく、好ましくは15Ncm-2よりも大きく、通常は20Ncm-2よりも大きい。このように、ストリップ材料は非常に薄く作ることができ、またその最大寸法はベルトの幅の50％近くか又はベルトの幅よりもずっと小さい。
三つの可能なストリップの実施例9,10,11を示す第６図から判る如く、単数（又は複数個）のストリップの外方縁間の範囲“a"は、ベルトの各縁3,4からの距離又はマージン“b"を残している。距離“b"が大きくなればなるほど、ベルトが僅かに不正確に取り付けられる際にストリップ部分9,10,11が着用者に触れるという危険性は少なくなる。
判る如く、ストリップは一般に細長く、又は第６（Ｂ）図の如く一連のストリップ10の場合、一連のストリップは細長い。細長いと言うのは、寸法“a"が寸法“c"よりも大きいことを意味する。好ましくは2:1以上のa:cの比が使用され、更に好ましくは3:1以上の比が使用される。しかして、上記利点を達成するために、より大きい寸法“a"を持つストリップはベルトの幅（ｚ）を横切り配置され、図示の如く、このより大きい寸法“a"がベルトの主部域（５）の幅（ｚ）の25％ないし75％の長さを持つようにストリップの寸法が決められる。前記幅（ｚ）は大人の失禁者に適するように70ないし160mmの間の長さである。ベルトの幅と言うのは、ここではストリップ9,10,11が取り付けられる帯域のベルトの幅を意味する。しかして第６（Ｃ）図の実施例では、ストリップ11はベルトの縮小部分を完全に横切って延びているが、ストリップ長さ“a"は依然として上記数値範囲内にある。
第６（Ｂ）図の実施例は三つのストリップ区分10を示しているが、二つ又は四つ以上のストリップ区分を使用できることは明かである。しかしながら、25％から75％の範囲内になければならない寸法は、最外部ストリップの外方縁間の距離“a"であり、この距離は好ましくは60％以下、又はより好ましくは50％以下である。
注目されるように、ストリップ又は一連のストリップは実質的にベルトの幅の中央に配置され、二つのマージン“b"はどの所定のベルトに於ても実質的に等しくなっている。
第６（Ａ）図の“d"で示す部域は、単に持ち上げてフック素子ストリップをベルトに取り付けられた部分から剥すことによりベルトを緩めるための、ベルトの端のフィンガー・グリップ部分である。上記のような低い剥離強度を有する薄いストリップを使用することにより、絶対最小値まで距離“d"を減じることが可能であり、しかしてベルト材料は節約され、費用が低減する。
本発明の特定実施例を上述したが、これらは添付の請求の範囲に記載の本発明の範囲を制限するものではないことは理解されよう。
【図１】
0003548176.tif 000002
【図２】
0003548176.tif 000003
【図４】
0003548176.tif 000004
【図５】
0003548176.tif 000005
【図３】
0003548176.tif 000006
【図６Ａ】
0003548176.tif 000007
【図６Ｂ】
0003548176.tif 000008
【図６Ｃ】
0003548176.tif 000009
【図７】
0003548176.tif 000010